(57)【要約】      （修正有）【課題】可搬的で任意場所に設置可能であり、点灯が制御され、信頼性を向上させた照明装置を提供する。【解決手段】ソーラーパネル１と、ソーラーパネルで得られる電気を貯蔵する蓄電池４と、蓄電池からの放電により点灯するＬＥＤ２と、蓄電池の充放電を制御する充放電制御回路３とを備え、ソーラーパネルと蓄電池とＬＥＤと充放電制御回路が電気的に接続された照明装置１０であって、充放電制御回路は、蓄電池への充電が停止してから所定時間経過後に蓄電池の放電を開始するように制御する。また、筐体６の底部１５には、筐体内部に結露した水分を排出可能で、蓄電池が筐体の外部へ落下しない大きさの孔７が設けられている。【選択図】図１
0003189299.tif 000002
【実用新案登録請求の範囲】
【請求項１】
ソーラーパネルと、前記ソーラーパネルで得られる電気を貯蔵する蓄電池と、前記蓄電池からの放電により点灯するＬＥＤと、前記蓄電池の充放電を制御する充放電制御回路と、を備え、前記ソーラーパネルと前記蓄電池と前記ＬＥＤと前記充放電制御回路が電気的に接続された照明装置であって、  前記充放電制御回路は、前記蓄電池への充電が停止してから所定時間経過後に前記蓄電池の放電を開始するように制御することを特徴とする照明装置。
【請求項２】
前記蓄電池と前記ＬＥＤと前記充放電制御回路が筐体内に内蔵され、前記ソーラーパネルは前記筐体の外部に配置されることを特徴とする請求項１に記載の照明装置。
【請求項３】
ソーラーパネルと、前記ソーラーパネルで得られる電気を貯蔵する蓄電池と、前記蓄電池からの放電により点灯するＬＥＤと、前記蓄電池の充放電を制御する充放電制御回路と、を、筐体内に内蔵し、前記ソーラーパネルと前記蓄電池と前記ＬＥＤと前記充放電制御回路が電気的に接続された照明装置であって、  前記充放電制御回路は、前記蓄電池への充電が停止してから所定時間経過後に前記蓄電池の放電を開始するように制御することを特徴とする照明装置。
【請求項４】
前記筐体の底部には、前記筐体内部に結露した水分を排出可能な孔であって、前記蓄電池が前記筐体の外部へ落下しない大きさの前記孔が設けられていることを特徴とする請求項２または３に記載の照明装置。
【請求項５】
前記蓄電池は、前記筐体内において、前記ソーラーパネルと前記筐体の底部の間で構成される空間に配置され、前記底部と接しないように配置されることを特徴とする請求項３または４に記載の照明装置。  
【考案の詳細な説明】
【技術分野】
【０００１】
本考案は、特に、ＬＥＤ（Ｌｉｇｈｔ Ｅｍｉｔｔｉｎｇ Ｄｉｏｄｅ：発光ダイオード）とソーラーパネルを組み合わせた照明装置に関する。
【背景技術】
【０００２】
ＬＥＤは赤や青、緑など様々な色の光を発するものが開発されており、このようなＬＥＤは装飾用のイルミネーションとしても用いられている。例えばＬＥＤを街路樹等に設置して点灯すれば、綺麗に彩られた景色によって、それを見る者を楽しませる。また、近年においては白色ＬＥＤを光源に用いた防犯灯や街路灯、庭園灯等の照明装置も開発されており、ＬＥＤの活用分野は拡大しつつある。
【０００３】
ＬＥＤを点灯するためには、ＬＥＤに電気を流すための電源が必要である。そのため、主に屋外でＬＥＤを点灯させる場合には、可搬可能な電源が用いられる。特にソーラーパネルを用いることで、太陽の出ている時間帯には、ソーラーパネルにより蓄電池に電気を蓄えて、太陽が沈んで暗くなった時間帯に、蓄電池に蓄えられた電気を放出することで、ＬＥＤを点灯させる等の照明装置が開発されている。例えば実用新案登録文献１においては、ＬＥＤとソーラーパネルを使用した任意場所に設置可能な照明装置が提案されている。
【先行技術文献】
【特許文献】
【０００４】
【特許文献１】実用新案登録第３１７２８１９号公報
【考案の概要】
【考案が解決しようとする課題】
【０００５】
しかし、先行技術文献に係る照明装置を屋外で使用した場合においては、太陽が沈み始め、ソーラーパネルから蓄電池への充電がされなくなった後すぐに蓄電池からの放電が開始し、ＬＥＤを点灯させる。そのため、夕暮れ後の早い段階でＬＥＤの点灯が開始することになる。蓄電池に蓄えられる電気が少ない場合、未だ薄暗い時間帯から点灯が始まってしまうと、太陽が完全に沈んで、周囲が闇に包まれた時間帯に点灯させたい場合であっても、既に蓄電池の電気を使い果たしてしまい、点灯できないという問題があった。一方で、蓄電池の容量を大きくすることも可能ではあるが、先行技術文献に係る可搬型の照明装置の場合、蓄電池の容量を大きくすると、それだけ照明装置が重くなり、可搬に適さなくなってしまう。
【０００６】
また、このような照明装置を屋外で使用した場合、照明装置の内部と外部との気温差により、照明装置内部が結露し、この水滴（水分）が照明装置内部の点灯回路や蓄電池の端子部分等に接触すると、ショート等により故障の原因となり、照明装置としての信頼性が低下するという問題があった。
【０００７】
本考案は、上述した従来技術の問題点を解消し、可搬的で任意場所に設置可能であり、点灯が制御され、信頼性を向上させた照明装置を提供することを目的とする。
【課題を解決するための手段】
【０００８】
上記の課題を解決するために、本考案は、以下に掲げる構成とした。ソーラーパネルと、前記ソーラーパネルで得られる電気を貯蔵する蓄電池と、前記蓄電池からの放電により点灯するＬＥＤと、前記蓄電池の充放電を制御する充放電制御回路とを備え、前記ソーラーパネルと前記蓄電池と前記ＬＥＤと前記充放電制御回路が電気的に接続された照明装置であって、前記充放電制御回路は、前記蓄電池への充電が停止してから所定時間経過後に前記蓄電池の放電を開始するように制御することを特徴とする。
【考案の効果】
【０００９】
本考案に係る照明装置は、容易に持ち運ぶことが可能であり、任意の場所に設置可能な照明装置として便利である。また、ソーラーエネルギーを使用するため、環境に配慮された照明装置として実用性が高い。そして、照明装置の点灯開始時間を制御できるので、照明装置を所望の時間帯に点灯できる。さらには、照明装置が結露しても故障の頻度を低下させた信頼性の高い照明装置である。
【図面の簡単な説明】
【００１０】
【図１】本考案による照明装置の構成例を示す図である。
【図２】本考案による照明装置の点灯システムを示すブロック図である。
【図３】本考案による照明装置の使用状態を示す図である。
【図４】本考案による照明装置の他の使用状態を示す図である。
【考案を実施するための形態】
【００１１】
以下、本考案の実施の形態について、詳細に説明する。但し、図面は模式的なものであり、寸法関係の比率等は現実のものとは異なる。  
【００１２】
以下、図面を参照して本考案に係る照明装置の構成を説明する。図１は、本考案に係る照明装置１０の構成例を示す図である。
図１中の符号１は、ソーラーパネル（太陽電池）である。主に太陽からの光エネルギーを使い、光起電力効果を応用して電気を発生させる。符号２はＬＥＤであり、電気により光を発する。符号３は基板であり、図示は省略するが、基板３上にはＬＥＤ２を点灯させるための点灯回路及び蓄電池の充放電を制御する充放電制御回路を搭載している。符号４は蓄電池であり、ソーラーパネル１で変換された電気を蓄える。符号５は配線であり、主に基板３上に搭載される充放電制御回路と蓄電池４とを接続している。符号６はこれらの部品を収容する筐体であり、透光性を有する。なお、筐体６の材質などは特に限定されないが、例えばペットボトル等の身近なものを使用することができる。なお、図１は、飲料水の容器として使用される空になったペットボトルを逆さまにした状態のものを筐体として用いた例である。
【００１３】
ソーラーパネル１は筐体６内の中央付近若しくは中央よりもやや上方に配置される。そして、ソーラーパネル１の上面（ソーラーパネル１の表面側）にはＬＥＤ２が配置される。ソーラーパネル１はＬＥＤ２を支持する役目も備えている。ソーラーパネル１の裏面（ＬＥＤ２が配置されない側の面）には基板３が配置される。蓄電池４は、筐体６内において、ソーラーパネル１より下側の空間（ソーラーパネル１と筐体６の底部１５の間で構成される空間）に配置される。しかし、蓄電池４は筐体６の底部１５と接触させないようにすることが必要である。図１では、ソーラーパネル１、ＬＥＤ２、基板３及び蓄電池４は、それぞれが電気的に接続されている。
【００１４】
筐体６の底部１５には孔７が設けられている。この孔７により、筐体６の内部と筐体６の外部は空間的に繋がっている。そのため、筐体６の内側表面に発生した結露による水滴（水分）は、重力により筐体６の内側表面を伝って下へ落ちていき、孔７から筐体６の外部へと排出される。  孔７の大きさは特に限定されないが、筐体６内に生じた水滴（水分）が排出可能であり、筐体６内部に配置した蓄電池４が照明装置１０外部へ落下しない大きさであればよい。
【００１５】
また、仮に、蓄電池４が筐体６の底部１５に設けた孔７に接触していると、孔７を塞いでしまい、底部１５に溜まった結露による水滴（水分）と蓄電池４が接触し、故障の原因となる。そのため、蓄電池４は、筐体６の底部１５と接触しないように配置することが好ましい。図１に示すように、底部１５に向かって徐々に先端が細くなるような筐体を用いることで、蓄電池４が筐体６の底部１５に達する前に、筐体６の側面と接触し、蓄電池４が筐体６の底部１５と接することを防止することができる。
【００１６】
図２は、本考案に係る照明装置の点灯システムを示すブロック図である。  太陽が出ている時間帯は、ソーラーパネル１によって発生した電気は充放電制御回路を経由して、蓄電池４に蓄えられる。一方で太陽が沈み始め、ソーラーパネルから発生する電気の量が低下し、蓄電池４への充電が停止すると、蓄電池４は電気を放出する段階へ移行するが、放電を開始するタイミングは、充放電制御回路により制御される。例えば、タイマーなどを用いて、ソーラーパネルから蓄電池４への充電が停止してから一定時間経過後に蓄電池４が放電を開始するように充放電制御回路により制御される。蓄電池４から放電された電気は、ＬＥＤ点灯回路を経由してＬＥＤ２へと伝わり、ＬＥＤ２は点灯する。そのため、蓄電池４への充電が停止してから２〜３時間後に放電を開始するようにタイマーをセットしておけば、太陽が完全に沈んで周囲が闇に包まれる時間帯にＬＥＤ２の点灯を開始することができる。
【００１７】
このように、充放電制御回路を備えることで、太陽が沈んだ後、一定時間経過後に点灯を開始させるなど、所望の時間帯に点灯を開始することができる。
【００１８】
図３は、本考案に係る照明装置１０の使用状態を示す図である。照明装置１０の底部１５に、徐々に先端に向かって細くなった先端部１４を接続する。この先端部１４を地面などに差し込むことで、照明装置１０を安定して固定することができる。このとき、先端部１４によって照明装置１０の底部１５に設けられた孔７を塞ぐことのないように、先端部１４を接続する。なお、図３に示す照明装置１０のその他の構造は図１に示す照明装置１０と同じである。そのため、基板３、蓄電池４、配線５、孔７等の図示及び説明は省略する。
【００１９】
図４は、本考案に係る照明装置１０の他の使用状態を示す図である。例えば照明装置１０の頂部に吊り下げ具１３を備えることで、支柱１１の間にロープ１２を張り、当該ロープ１２に吊り下げ具１３を引っ掛けて照明装置１０を設置している。吊り下げ具１３は、図４に示したようなリング状のものに限らず、ロープ１２に引っ掛けることができるフック状のもの等、様々な形状のものを用いることができる。このような構成により、地面から所望の高さに照明装置１０を設置できる。なお、図３と同様に、図４に示す照明装置１０のその他の構造は図１に示す照明装置１０と同じである。そのため、基板３、蓄電池４、配線５、孔７等の図示及び説明は省略する。
【００２０】
（変形例）  次に、本考案に係る照明装置の変形例について説明する。本考案に係る照明装置の変形例として、図１の照明装置１０と異なる点は、図１における照明装置１０のソーラーパネル１を、筐体６の外部に取り出した構造である。ソーラーパネル１を筐体６の外部に配置するため、ソーラーパネル１と基板３との間を別途配線等により電気的に接続する。そして、ダイオード２は、基板３上に配置した構造となる。  このような変形例に係る構造とすることで、筐体６の大きさに制限されずにソーラーパネル１を大きくすることが可能となる。そのため、１つのソーラーパネル１と複数の照明装置１０を配線等により電気的に接続すれば、１つのソーラーパネル１で複数の照明装置１０を点灯させることが可能となる。
【符号の説明】
【００２１】
１、ソーラーパネル２、ＬＥＤ３、基板４、蓄電池５、配線６、筐体７、孔１０、照明装置１１、支柱１２、ロープ１３、吊り下げ具１４、先端部１５、底部    
【図１】
0003189299.tif 000003
【図２】
0003189299.tif 000004
【図３】
0003189299.tif 000005
【図４】
0003189299.tif 000006